(57)【要約】      （修正有）【課題】使用者が作動装置のペダルに施力と開放を繰り返すだけで、水切り容器を連続して回転させたり、回転を加速させたりすることができ、この回転の遠心力によって脱水の目的を達する、脱水装置の提供。【解決手段】脱水装置は主に内部に水切り容器が設置された殼体、作動装置、水切り容器と作動装置を連結する伝動軸から構成される。殼体の底部に組み込み槽が設けられ、作動装置が組み込み槽内に設置され、伝動部材と押し棒部材の取り付けに用いる座体と、座体上に設置され、伝動軸を回転させるための伝動ユニットと、座体の２つの支持フレーム間に設置され、伝動ユニットを駆動して伝動ユニットを回転させるペダルユニットを含む。【選択図】図６
0003164145.tif 000002
【実用新案登録請求の範囲】
【請求項１】
脱水装置であって、主に内部に水切り容器が設置された殼体と、作動装置と、前記水切り容器と作動装置を連結する伝動軸から構成され、そのうち、前記殼体底部に組み込み槽が設けられ、前記作動装置が組み込み槽内に設置され、
前記作動装置が、殼体底部の組み込み槽内に設置され、伝動ユニットとペダルユニットを取り付けるために用いる座体と、座体上に設置され、伝動軸を回転させるために用いる伝動ユニットと、座体の２つの支持フレームの間に設置され、前記伝動ユニットを駆動して、伝動ユニットを回転させるために用いるペダルユニットを含み、
ペダルユニットを操作すると、ペダルユニットが前記伝動ユニットを駆動し、さらに伝動ユニットが伝動軸を駆動して水切り容器を回転させ、水切り容器内に収容された水を含む物品を脱水するという目的を達することを特徴とする、脱水装置。
【請求項２】
前記座体の両側にペダルユニットを支持するために用いる支持フレームが設置されたことを特徴とする、請求項１に記載の脱水装置。
【請求項３】
前記伝動ユニットがさらに、大歯車装置、ベルト、大歯車装置蓋体、固定部材、ボール、固定リング、小歯車装置蓋体、蓋板、小歯車装置、単一方向軸受、ラック、弾性部材を含むことを特徴とする、請求項１に記載の脱水装置。
【請求項４】
前記ペダルユニットが前記座体の２つの支持フレームの間に設置され、ペダルと２つの枢着部材を含むことを特徴とする、請求項１に記載の脱水装置。
【考案の詳細な説明】
【技術分野】
【０００１】
本考案は脱水装置に関し、特に遠心力を利用して脱水の動作を行う、電力不要の簡易な脱水装置に関する。
【背景技術】
【０００２】
環境の清潔を保つため、一般にモップを床の清掃用具としてよく使用するが、雑巾でもモップでも、布に付着した埃やごみ、汚れを繰り返し水で洗う必要があり、且つ雑巾及びモップ中の水分を適切な湿り気になるまで除去しなければならない。雑巾は直接脱水機を利用するか、直接手で絞って水分を出すことができるが、モップは布が通常モップの棒体に結合されているため、不能或不便於置放脱水機中に入れて脱水することが不可能、または不便であり、手で直接絞って水を出すにも、施力が容易でなく、体力を消耗してしまうという問題がある。このほか、手で直接雑巾またはモップの布を絞る場合、含まれる埃やごみ、汚れが使用者の手を傷め、皮膚を傷つけたり、皮膚が荒れたりすることがあり、現代の都会的な女性にとって、好ましいとはいえない。以上はすべて清掃作業で雑巾またはモップを使用する際に繰り返し洗ったり、使用したりするときの欠点である。
【考案の概要】
【考案が解決しようとする課題】
【０００３】
本考案は、現有の技術における脱水装置に反復的に施力するとき、全体の構造がしっかりと位置決めされず、構造体ががたついたり、ずれたりすることがあり、また伝動ユニットの伝動が円滑でなく、回転速度が不足したり、構造が倒れやすいという技術的問題を解決する。
【０００４】
本考案の目的は、使用者が作動装置のペダルに施力と開放を繰り返すだけで、水切り容器を連続して回転させたり、回転を加速させたりすることができ、この回転の遠心力によって脱水の目的を達する、脱水装置を提供することにある。
【課題を解決するための手段】
【０００５】
本考案の脱水装置は主に、内部に水切り容器が設置された殼体、作動装置、前記水切り容器と作動装置を連結する伝動軸から構成され、そのうち、殼体底部に組み込み槽が設置され、前記作動装置が組み込み槽内に設置され、そのうち前記作動装置が、殼体底部の組み込み槽内に設置され、伝動ユニットとペダルユニットの取り付けに用いる座体と、座体上に設置され、伝動軸を駆動して回転させる伝動ユニットと、座体の２つの支持フレーム間に設置され、伝動ユニットの駆動に用いられ、伝動ユニットを回転させるペダルユニットを含み、ペダルユニットを操作すると、ペダルユニットが前記伝動ユニットを駆動し、さらに伝動ユニットが伝動軸を駆動して水切り容器を回転させ、水切り容器内に収容された水を含む物品を脱水するという目的を達することを特徴とする。
【０００６】
本考案の利点と要旨について、以下の図面を組み合わせて詳細に説明する。
【図面の簡単な説明】
【０００７】
【図１】本考案の最良の実施例の立体外観図である。
【図２】図１の断面図である。
【図３】本考案の最良の実施例の作動装置と殼体の立体分解図である。
【図４】図３の断面図である。
【図５】本考案の最良の実施例の作動装置の立体外観図である。
【図６】本考案の最良の実施例の立体分解図である。
【図７】本考案の最良の実施例の座体の外観図である。
【図８】図７の別の角度からの外観図である。
【図９】図７の上面図である。
【図１０】本考案の最良の実施例の伝動ユニットの立体分解図である。
【図１１】本考案の最良の実施例の伝動ユニットの部分立体外観図である。
【図１２】図１１の断面図である。
【図１３】本考案の小歯車装置蓋体、小歯車装置、単一方向軸受の分解図である。
【図１４】図１２の透視図である。
【図１５】本考案の最良の実施例のラックの外観図である。
【図１６】本考案の最良の実施例のペダルユニットの立体外観図である。
【図１７】本考案のペダルユニットと伝動ユニットの使用状態を示す立体図である。
【図１８】図１７の正面図である。
【考案を実施するための形態】
【０００８】
本考案の目的、特徴及び効果について、以下、最良の具体的な実施例に基づき、図面を組み合わせて詳細に説明する。
【０００９】
図１から図５に示すように、本考案の脱水装置は主に、内部に水切り容器１４が設置された殼体１、作動装置２、前記水切り容器１４と作動装置２を連結する伝動軸１５から構成され、そのうち、前記殼体１底部の一側に組み込み槽１１が設けられ、前記作動装置２が組み込み槽１１内に設置される。殼体１は内部に収容空間１２が設けられ、前記水切り容器１４が収容空間１２内に設置され、その中心下方に作動装置２に連結された伝動軸１５が設置され、作動装置２が伝動軸１５を回転させて、水切り容器１４を回転させることができる。前記作動装置２は、殼体１底部の組み込み槽１１内に設置され、伝動ユニット４及びペダルユニット５を取り付けるために用いられる座体３と、座体３上に設置され、伝動軸１５の駆動に用いられる伝動ユニット４と、座体３上の２つの支持フレーム３１ａ、３１ｂの間に設置され、伝動ユニット４を駆動し、伝動ユニット４を回転させるために用いられるペダルユニット５を含み、これにより、ペダルユニット５を操作すると、ペダルユニット５が前記伝動ユニット４を駆動し、さらに伝動ユニット４が前記伝動軸１５を駆動して殼体１内の水切り容器１４を回転させ、水切り容器１４内に収容された水を含む物品を脱水するという目的を達することを特徴とする。
【００１０】
図６に示すように、本考案の脱水装置の主要構成部材はハンドル１３、水切り容器１４、殼体１、伝動軸１５、２つのＣ型リング１５ａ、１５ｂ、座体３、双方向軸受３０、ボール４０、固定リング４１、小歯車装置蓋体４２、小歯車装置４３、単一方向軸受４４、大歯車装置４５、ベルト４６、大歯車装置蓋体４７、固定部材４８、弾性部材４９、ラック５０、ペダル５１、２つの枢着部材５２ａ、５２ｂを含む。
【００１１】
図６〜９に示すように、前記座体３は殼体１底部の組み込み槽１１内に設置され、座体３の両側に支持フレーム３１ａ、３１ｂが設けられ、前記支持フレーム３１ａ、３１ｂの上端縁に軸孔３２ａ、３２ｂが形成され、２つの支持フレーム３１ａ、３１ｂ間の前方に２つのストッパ部３３ａ、３３ｂが設けられると共に、座体３上に溝部３４が形成され、溝部３４上に第１位置規制板３５ａ、第２位置規制板３５ｂ、第３位置規制板３５ｃ、第４位置規制板３５ｄ、第５位置規制板３５ｅ、支持フレーム３１ａにより囲まれて成る摺動空間が形成され、前記第１位置規制板３５ａと第２位置規制板３５ｂの間に第１固定部３６が設けられ、第１固定部３６上に双方向軸受３０が設置され、第３位置規制板３５ｃと第４位置規制板３５ｄの間に第２固定部３７が設けられ、第４位置規制板３５ｄと第５位置規制板３５ｅの間に第３固定部３８が設けられ、溝部３４内に第４固定部３９が設けられる。本考案の実施例において第１固定部３６は円柱体であり、第２固定部３７及び第３固定部３８は円形管体であり、第２固定部３７及び第３固定部３８上には固定孔３７ａ、３８ａが設けられ、第４固定部３９は凹形状である。
【００１２】
図１０〜１４に示すように、前記伝動ユニット４は前記座体３上に配置され、前記伝動ユニット４は、大歯車装置４５、ベルト４６、大歯車装置蓋体４７、固定部材４８、ボール４０、固定リング４１、小歯車装置蓋体４２、小歯車装置４３、単一方向軸受４４、ラック５０、弾性部材４９を含む。前記大歯車装置４５は、大歯車４５ａ、ピニオン４５ｂ、大歯車４５ａとピニオン４５ｂを貫通する段状孔４５ｃを含み、前記ベルト４６が大歯車装置４５上の大歯車４５ａ上に掛け回され、前記大歯車装置蓋体４７が大歯車装置４５上にネジ止めされ、固定部材４８が大歯車装置４５の段状孔４５ｃを貫通して大歯車装置４５を座体３の第２固定部３７の固定孔３７ａ内に固定する。前記小歯車装置蓋体４２は第１接続管４２ａ、第２接続管４２ｂ、第１接続管４２ａと第２接続管４２ｂに連結された蓋板４２ｃ、貫通孔４２ｄを含み、前記蓋板４２ｃ上に３つの貫通孔４２ｅが設けられる。前記小歯車装置４３は、連結部４３ａと、連結部４３ａに連結されたピニオン４３ｂを含み、前記連結部４３ａの中心に六角形の凹陥部４３ｃが形成され、前記ピニオン４３ｂの中心に前記凹陥部４３ｃに連通する段状孔４３ｄが形成され、前記ピニオン４３ｂの端面上に３つの固定棒４３ｅが設けられ、前記固定棒４３ｅは蓋板４２ｃの貫通孔４２ｅの形状と大きさに対応し、小歯車装置４３と小歯車装置蓋体４２を固定するために用いられる。前記単一方向軸受４４は小歯車装置４３の凹陥部４３ｃに対応し、前記ラック５０は図１５に示すように、その一側面にラック歯５０ａが設けられ、大歯車装置４５上のピニオン４５ｂに噛み合わせて、大歯車装置４５を回転させるために用いられ、下方には溝部５０ｂが設けられ、溝部５０ｂ上に座体３の溝部３４上の第４固定部３９と同じ形状の第５固定部５０ｃが設けられる。前記弾性部材４９は一側の端部近くに第１連結部４９ａを備え、他方の一側の端部近くに第２連結部４９ｂを備えており、前記第１連結部４９ａがラック５０の溝部５０ｂの第５固定部５０ｃ上に配置されて位置決めされ、前記第２連結部４９ｂが座体３の溝部３４の第４固定部３９上に配置されて位置決めされる。本実施例の弾性部材４９は引張バネであり、弾性部材４９はラック５０が大歯車装置４５を押し動かした後に元の位置を回復するために用いられ、ラック５０は座体３上の摺動空間内で往復移動することができる。
【００１３】
図１６に示すように、前記ペダルユニット５は座体３の２つの支持フレーム３１ａ、３１ｂの間に設置され、ペダル５１と２つの枢着部材５２ａ、５２ｂを含む。本実施例において２つの枢着部材５２ａ、５２ｂはＴ字形の円柱棒体であり、前記ペダル５１は前方に押し棒５３を備え、上方に枢軸５４が設置され、枢軸５４上には切欠部５５が形成され、伝動軸１５が切欠部５５内で制限を受けずに自由に回転することができ、前記枢軸５４は両端に軸孔５６を備え、前記２つの枢着部材５２ａ、５２ｂが座体３の２つの支持フレーム３１ａ、３１ｂ上の軸孔３２ａ、３２ｂに貫通された後、枢軸５４の軸孔５６内に挿入され、ペダル５１を座体３の２つの支持フレーム３１ａ、３１ｂ上に枢着し、前記ペダル５１が座体３上で２つの枢着部材５２ａ、５２ｂを軸心として回動を行うことができるようにする。
【００１４】
使用時は図１７、図１８、図２に示すように、前記ペダルユニット５の押し棒５３の前端がラック５０の後端面上に当接され、ペダル５１が下に押されると、ペダル５１上の押し棒５３が前記ラック５０を押し動かし、ラック５０を前方に移動させ、ラック５０上のラック歯５０ａが大歯車装置４５下方のピニオン４５ｂを回転させ、さらに大歯車４５ａがベルト４６で小歯車装置４３上のピニオン４３ｂを回転させて小歯車装置４３を回転させ、さらに小歯車装置４３の凹陥部４３ｃ内に設置された単一方向軸受４４が伝動軸１５を回転させるが、前記単一方向軸受４４は単一方向にのみ回転する周知の製品技術であるため、ここでは説明を省略する。前記伝動軸１５は殼体１に穿通された後、一水切り容器１４の中心の下方に固定して設置される。作動装置２のペダル５１が連続して踏まれると、前記作動装置２が伝動軸１５を動かして殼体１内の水切り容器１４を連続して高速回転させ、水切り容器１４の遠心力で脱水の目的を達することができる。
【００１５】
伝動部材４が操作時にがたつきを生じないようにするため、座体３の第１固定部３６上に双方向軸受３０が設置され、前記双方向軸受３０はラック５０の一側に接して設置され、ラック５０の往復移動時に位置ずれを生じないよう防止し、伝動ユニット４の構造の安定性と水切り容器１４の円滑な回転を向上することができる。
【符号の説明】
【００１６】
１        殼体
１１      組み込み槽
１２      収容空間
１３      ハンドル
１４      水切り容器
１５      伝動軸      
１５ａ、１５ｂ    Ｃ型リング
２        作動装置
４４      単一方向軸受
３        座体
３０      双方向軸受
３１ａ、３１ｂ    支持フレーム     
３２ａ、３２ｂ    軸孔
３３ａ、３３ｂ    ストッパ部
３４      溝部
３５ａ    第１位置規制板
３５ｂ    第２位置規制板
３５ｃ    第３位置規制板
３５ｄ    第４位置規制板
３５ｅ    第５位置規制板
３６      第１固定部
３７      第２固定部     
３８      第３固定部
３９      第４固定部
３７ａ、３８ａ    固定孔
４        伝動ユニット
４０      ボール           
４１      固定リング
４２      小歯車装置蓋体
４２ａ    第１接続管
４２ｂ    第２接続管
４２ｃ    蓋板
４２ｄ、４２ｅ    貫通孔
４３      小歯車装置
４３ａ    連結部
４３ｂ    ピニオン
４３ｃ    凹陥部
４３ｄ    段状孔
４３ｅ    固定棒
４５      大歯車装置
４５ａ    大歯車
４５ｂ    ピニオン
４５ｃ    段状孔
４６      ベルト
４７      大歯車装置蓋体
４８      固定部材
４９      弾性部材
４９ａ    第１連結部
４９ｂ    第２連結部
５０      ラック
５０ａ    ラック歯
５０ｂ    溝部
５０ｃ    第５固定部
５        ペダルユニット
５１      ペダル
５２ａ、５２ｂ    枢着部材
５３      押し棒
５４      枢軸
５５      切欠部
５６      軸孔
【図１】
0003164145.tif 000003
【図２】
0003164145.tif 000004
【図３】
0003164145.tif 000005
【図４】
0003164145.tif 000006
【図５】
0003164145.tif 000007
【図６】
0003164145.tif 000008
【図７】
0003164145.tif 000009
【図８】
0003164145.tif 000010
【図９】
0003164145.tif 000011
【図１０】
0003164145.tif 000012
【図１１】
0003164145.tif 000013
【図１２】
0003164145.tif 000014
【図１３】
0003164145.tif 000015
【図１４】
0003164145.tif 000016
【図１５】
0003164145.tif 000017
【図１６】
0003164145.tif 000018
【図１７】
0003164145.tif 000019
【図１８】
0003164145.tif 000020
【手続補正書】
【提出日】平成22年9月13日(2010.9.13)
【手続補正１】
【補正対象書類名】実用新案登録請求の範囲
【補正対象項目名】請求項１
【補正方法】変更
【補正の内容】
【請求項１】
脱水装置であって、主に内部に水切り容器が設置された殼体と、作動装置と、前記水切り容器と作動装置を連結する伝動軸から構成され、そのうち、前記殼体底部に組み込み槽が設けられ、前記作動装置が殼体底部の組み込み槽内に設置して伝動ユニットとペダルユニットを取り付けるために用いる座体と、座体上に設置され、伝動軸を回転させるために用いる伝動ユニットと、座体の２つの支持フレームの間に設置され、前記伝動ユニットを駆動して、伝動ユニットを回転させるために用いるペダルユニットを含み、
ペダルユニットを操作すると、ペダルユニットが前記伝動ユニットを駆動し、さらに伝動ユニットが伝動軸を駆動して水切り容器を回転させ、水切り容器内に収容された水を含む物品を脱水するという目的を達することを特徴とする、脱水装置。
【手続補正２】
【補正対象書類名】実用新案登録請求の範囲
【補正対象項目名】請求項３
【補正方法】変更
【補正の内容】
【請求項３】
前記座体上に設置された前記伝動ユニットがさらに、
大歯車装置、固定部材、ボール、固定リング、小歯車装置蓋体、小歯車装置、ベルト、単一方向軸受、ラック、弾性部材を含み、
前記大歯車装置は、大歯車、ピニオン、前記大歯車と前記ピニオンを貫通する段状孔を含み、大歯車装置蓋体が前記大歯車装置上にネジ止めされ、
前記固定部材は、前記大歯車装置の前記段状孔を通過した後前記座体の第２固定部の固定孔内に固定され、
前記ボールと固定リングは、前記座体の第３固定部の固定孔内に設置され、
前記小歯車装置蓋体は、第１接続管、第２接続管、前記第１接続管と前記第２接続管に連結された蓋板、前記第１接続管と前記第２接続管を貫通する貫通孔を含み、前記蓋板上に複数の貫通孔が設けられ、
前記小歯車装置は、連結部と、前記連結部に連結されたピニオンを含み、前記連結部の中心に六角形の凹陥部が形成され、前記ピニオンの中心に前記凹陥部に連通する段状孔が形成され、前記ピニオンの端面上に３つの固定棒が設けられ、前記固定棒は蓋板の貫通孔の形状と大きさに対応し、前記小歯車装置と小歯車装置蓋体を固定するために用いられ、
前記ベルトが、前記大歯車装置上の前記大歯車と前記小歯車装置上のピニオン上に掛け回され、
前記単一方向軸受は前記小歯車装置の凹陥部に対応し、
前記ラックは、前記座体上の摺動空間内に設置され、その一側面にラック歯が設けられ、前記大歯車装置上のピニオンに噛み合わせて、前記大歯車装置を回転させるために用いられ、下方には溝部が設けられ、前記溝部上に前記座体の溝部上の第４固定部と同じ形状の第５固定部が設けられ、
前記弾性部材は一側の端部近くに第１連結部が設けられ、他方の一側の端部近くに第２連結部が設けられ、前記第１連結部が前記ラックの前記溝部の第５固定部上に配置されて位置決めされ、前記第２連結部が前記座体の前記溝部の前記第４固定部上に配置されて位置決めされる、
ことを特徴とする、請求項１に記載の脱水装置。